(57)【要約】  本発明は、押圧装置を介して保持具（１）と連結された工具（３、３．１）を有する部品を加工する装置であって、保持具（１）には、工具（３）を収容するか又は工具（３．１）の凹部（１２）に挿入された非円形状の変形可能な鞘（６）が備えられていることを特徴とする。
2009504424.tif 000002
【特許請求の範囲】
【請求項１】
保持具（１）と押圧装置を介して連結された工具（３、３．１）を有する部品を加工する装置であって、
保持具（１）には、工具（３）を収容するか又は工具（３．１）の凹部（１２）に挿入された非円形状の変形可能な鞘（６）が備えられ、鞘（６）には回転部材（７、７．１）が備えられていることを特徴とする部品を加工する装置。
【請求項２】
前記鞘（６）は金属製であることを特徴とする請求項１に記載の部品を加工する装置。
【請求項３】
前記鞘（６）は保持具（１）と一体的に形成されていることを特徴とする請求項１又は請求項２に記載の部品を加工する装置。
【請求項４】
前記鞘（６）は面取りされた角を有する多角形の断面を備えていることを特徴とする請求項１ないし請求項３のいずれか１項に記載の部品を加工する装置。
【請求項５】
前記鞘（６）は回転部材（７）の収納部（１１）に配置され、該収納部（１１）は鞘（６）外面に対応する内面を備えていることを特徴とする請求項１ないし請求項４のいずれか１項に記載の部品を加工する装置。
【請求項６】
前記鞘（６）は工具（３．１）の凹部（１２）に備えられていることを特徴とする請求項１ないし請求項５のいずれか１項に記載の部品を加工する装置。
【請求項７】
工具（３．１）の凹部（１２）は円形に形成されていることを特徴とする請求項６に記載の部品を加工する装置。
【請求項８】
回転部材（７．１）は鞘（６）内に挿入可能であり、回転部材（７．１）の外面は保持具（１）の鞘（６）の内面に対応していることを特徴とする請求項６又は請求項７に記載の部品を加工する装置。
【請求項９】
工具（３）は保持具（１）の軸方向の孔（２）に挿入され、回転防止部材（５）及び／又は位置決め部材と共動していることを特徴とする請求項１ないし請求項５のいずれか１項に記載の部品を加工する装置。
【請求項１０】
前記回転防止部材は、工具（３）の斜面（４）が当接する横向きストッパ（５）であることを特徴とする請求項９に記載の部品を加工する装置。
【請求項１１】
回転部材（７、７．１）を回転させることにより工具（３）の軸方向の動きが開始されることを特徴とする請求項８ないし請求項１０のいずれか１項に記載の部品を加工する装置。
【請求項１２】
回転部材（７、７．１）を回転させることにより工具（３）は径方向への動きが固定されることを特徴とする請求項８ないし請求項１１のいずれか１項に記載の部品を加工する装置。
【発明の詳細な説明】
【技術分野】
【０００１】
本発明は、保持具と押圧装置を介して連結された工具を有する部品の加工装置に関する。
【背景技術】
【０００２】
この種の装置として様々な形式のものが市販されている。これらの装置は特に、例えば旋盤、フライス盤などの加工設備においての部品の加工に供される。
【０００３】
独国特許出願公開第１９８００４２４Ａ１号明細書には、シャフトを有する工具が保持具の孔内に挿入され押圧装置により保持された上記の装置が開示されている。工具の傾斜した前端は孔内にあり、横向きストッパと共動する。横向きストッパは保持具の孔を径方向に貫通しており、孔に挿入された工具は軸方向に作用する押圧装置により、軸方向並びに径方向に固定されている。
【０００４】
この装置では、工具が径方向には十分に保持されないことがあるとの問題が判明した。
【発明の開示】
【発明が解決しようとする課題】
【０００５】
本発明の課題は、工具の保持具内における径方向の固定を改良することである。
【課題を解決するための手段】
【０００６】
工具を収容するか、工具の凹部と噛み合う非円形状で変形可能な鞘を保持具に配置することにより課題は解決され、その鞘（６）には回転部材（７、７．１）が配置されている。
【発明を実施するための最良の形態】
【０００７】
非円形状で変形可能な鞘は、適当な回転部材が変形すると収容されている工具が強く押圧されるので、工具の径方向へ動けなくなることがその特徴である。鞘が工具を収納せずに、鞘が工具の凹部に設置されている場合も同様の作用を示す。ここでは鞘が変形することにより、工具の凹部に楔止めされる。
【０００８】
鞘は金属製であることが好ましく、極度に厚くする必要がないので変形もする。更に、鞘は保持具に直接に形成してもよい。すなわち保持具と一体に製造するか又は別に製造した後に適当な結合方式により保持具と連結する。
【０００９】
好適な実施例においては、鞘は多角形の断面を備えている。例えば鞘は三角形に形成してもよいが、目視では目立たないように角部を面取りする。工具が鞘を貫通している実施例においては、回転部材の内面と鞘の外面とが対応して、回転部材が鞘を覆うように構成している。このことは、回転部材が所定の位置においてのみ鞘に接することを意味している。回転部材を回転させると、内面の角部が外面の角部に乗り上げ、鞘の他の部分が変形し、鞘が工具に押圧される。
【００１０】
実施例によっては、鞘は工具の凹部に備えられることもある。工具は、例えば、フライス刃又は鋸歯に用いられる。この場合、工具の凹部は円形に形成されている。その外面が鞘の非円形の内面に対応している回転部材を鞘に挿入して回転させると鞘が変形し、鞘が工具の凹部に押圧される。
【００１１】
このような構成によって、工具に十分な保持力が生ずるので、径方向へのずれが防止される。最初の実施例では、独国特許出願公開第１９８００４２４Ａ１号明細書に記載されているように、工具の自由端は斜めに切断され、保持具の軸方向の孔に挿入され横向きストッパに当接させると、工具の保持具に対する回転運動を阻止すると共に工具は軸方向並びに径方向に確実に固定される。このような固定法は極めて再現性がよい。
【実施例】
【００１２】
以下、図面を用いて、本発明の長所、特徴及び詳細を説明する。
【００１３】
本発明による、（詳細には図示していない）部品の加工装置は、破線で示された軸方向の孔２を有する保持具１を備えている。この軸方向の孔２に工具３が挿入され、軸方向の孔２中の工具３の端部は斜面４を備えている。独国特許出願公開第１９８００４２４Ａ１号明細書に記載さているように、この斜面４は、回転防止部材としての、横向きストッパ５と共動する。
【００１４】
工具３は、回転部材７に包含された鞘６を通過した後に軸方向の孔２に挿入される。図２に示されるように、回転部材７は六角形に形成されている。
【００１５】
図２から判るように、鞘６は非円形状に形成された外被８を備えている。本実施例では、外皮８は３つの位置９．１、９．２、９．３において、円筒状の工具３と接しており、接していない部分の内面１０は工具３に対して、間隔が僅かに（例えば３／１００ｍｍ）増大したり、減少したりしている。
【００１６】
回転部材７には、鞘６を収納する収納部１１が形成され、この収納部１１の内面は鞘６の外面に応じて変形される。
【００１７】
以下、本発明の作用を説明する。
【００１８】
工具３は鞘６に挿入されるが、工具３は円筒状に形成されているので、鞘６内において自由に回転できる。工具３は、内郭の３つの位置９．１〜９．３においてのみ鞘６に接している。このようにして、工具３の挿入後、工具３は軸方向の孔２内で回転可能となるので、斜面４は横向きのストッパ５により所定の位置に設置される。
【００１９】
回転部材７は、鞘６に３つの位置において拘束されるので、回転部材７の収納部１１の内面は、鞘６の非円形状の外面に応じて変形される。
【００２０】
回転部材７が回転すると、回転部材７の収納部１１の内面の変形された部分が鞘６の外被の角に強く当接して鞘６に楔作用が生じ、鞘６は少なくとも３つの位置９．１〜９．３において工具３に強固に押圧されるので、工具３の径方向への動きができなくなる。回転部材７と鞘６との楔面はほんの僅か傾斜しているので、回転部材７と鞘６の間に自己制動が生じ、工具３によって回転部材７を反対方向に回転させることによりその自己制動が開放される。
【００２１】
図３には、工具の保持を逆に配置した場合が示されている。ここでも保持具１は、鞘６を備えている。鞘６は、上記実施例と同様に、非円形状で、上述のように三角形又は多角形である。ここでは、工具３．１は鞘６には挿入されておらず、円形の凹部１２を有している。鞘６の外面は非円形状なので、鞘６は３つの位置９．４、９．５、９．６において凹部１２の内面に接している。
【００２２】
工具を固定するために、非円形状の回転部材７．１を鞘６．１内に挿入する。回転部材は、鞘６の内面に対応した外面１３を備えることが好ましい。回転部材７．１を回転させると鞘６が変形し、鞘６の外面の所定の位置が凹部１２の内面を押圧して工具３．１を鞘６に楔止めする。
【図面の簡単な説明】
【００２３】
【図１】本発明による加工装置の部分破断図を伴う側面図
【図２】図１のＩＩ−ＩＩ線に沿った断面図
【図３】別の実施例の断面図
【符号の説明】
【００２４】
１    保持具
２    軸方向の孔
３    工具
４    斜面
５    横向きストッパ
６    鞘
７    回転部材
８    外被
９    （接触）位置
１０  （鞘の）内面
１１  収納部
１２  凹部
１３  外面
【図１】
2009504424.tif 000003
【図２】
2009504424.tif 000004
【図３】
2009504424.tif 000005
【手続補正書】
【提出日】平成19年6月20日(2007.6.20)
【手続補正１】
【補正対象書類名】特許請求の範囲
【補正対象項目名】全文
【補正方法】変更
【補正の内容】
【特許請求の範囲】
【請求項１】
変形可能な鞘（６）を備えた保持具（１）と押圧装置を介して連結された工具（３、３．１）を有する部品を加工する装置であって、
非円形状の鞘（６）は工具（３）を収容するか又は工具（３．１）の凹部（１２）に挿入され、鞘（６）の外面又は内面に対応する内面又は外面を有する回転部材（７、７．１）は鞘（６）を包含するか又は鞘（６）に挿入されて回転され、回転部材（７、７．１）が回転される際に鞘（６）が変形することにより工具（３）が径方向に固定されることを特徴とする部品を加工する装置。
【請求項２】
前記鞘（６）は金属製であることを特徴とする請求項１に記載の部品を加工する装置。
【請求項３】
前記鞘（６）は保持具（１）と一体的に形成されていることを特徴とする請求項１又は請求項２に記載の部品を加工する装置。
【請求項４】
前記鞘（６）は面取りされた角を有する多角形の断面を備えていることを特徴とする請求項１ないし請求項３のいずれか１項に記載の部品を加工する装置。
【請求項５】
前記鞘（６）は回転部材（７）の収納部（１１）に配置され、該収納部（１１）は鞘（６）外面に対応する内面を備えていることを特徴とする請求項１ないし請求項４のいずれか１項に記載の部品を加工する装置。
【請求項６】
前記鞘（６）は工具（３．１）の凹部（１２）に備えられていることを特徴とする請求項１ないし請求項５のいずれか１項に記載の部品を加工する装置。
【請求項７】
工具（３．１）の凹部（１２）は円形に形成されていることを特徴とする請求項６に記載の部品を加工する装置。
【請求項８】
回転部材（７．１）は鞘（６）内に挿入可能であり、回転部材（７．１）の外面は保持具（１）の鞘（６）の内面に対応していることを特徴とする請求項６又は請求項７に記載の部品を加工する装置。
【請求項９】
工具（３）は保持具（１）の軸方向の孔（２）に挿入され、回転防止部材（５）及び／又は位置決め部材と共動していることを特徴とする請求項１ないし請求項５のいずれか１項に記載の部品を加工する装置。
【請求項１０】
前記回転防止部材は、工具（３）の斜面（４）が当接する横向きストッパ（５）であることを特徴とする請求項９に記載の部品を加工する装置。
【手続補正２】
【補正対象書類名】明細書
【補正対象項目名】０００１
【補正方法】変更
【補正の内容】
【０００１】
本発明は、変形可能な鞘を備えた保持具と押圧装置を介して連結された工具を有する部品の加工装置に関する。
【手続補正３】
【補正対象書類名】明細書
【補正対象項目名】０００４
【補正方法】変更
【補正の内容】
【０００４】
この装置では、工具が径方向には十分に保持されないことがあるとの問題が判明した。
独国特許出願公開第２２５２２７５Ａ１号明細書には、チャック内にドリルを強固に保持する装置が開示されている。その装置では、チャックとドリルの間に連結鞘機構が配置され、その機構内に鋸歯状片が長軸に対して直角に挿入されている。これにより、連結鞘機構は駆動部分と挟み部分とに区分される。回転を抑えるための軸方向の案内溝のために、ドリルに噛み合って接している連結鞘機構は、ドリルの螺旋溝方向には旋回できないので、袋ナット装着しても２つの鞘部材間には空隙が生ずる。袋ナットを装着することにより、連結鞘機構の下部がドリルの後方研磨面に押圧され、チャック間に挟み込まれる。
独国特許第８６９８９２号明細書には、魔法瓶の原理で作動する押圧装置が記載されている。押圧針と加工部品の間に在る弾性部材は、袋ナットにより軸方向に変形されるので、径方向に広げられ楔効果が生ずる。
【手続補正４】
【補正対象書類名】明細書
【補正対象項目名】０００６
【補正方法】変更
【補正の内容】
【０００６】
非円形状の鞘は工具を収納するか又は工具の凹部に挿入され、鞘の外面又は内面に対応する内面又は外面を有する回転部材は鞘を包含するか又は鞘に挿入されて回転され、回転部材が回転される際に鞘が変形することにより工具が径方向に固定されることにより課題は解決される。
【国際調査報告】
2009504424.tif 000006
2009504424.tif 000007
2009504424.tif 000008
2009504424.tif 000009
2009504424.tif 000010
2009504424.tif 000011